【手続補正書】
【提出日】平成19年4月2日(2007.4.2)
【手続補正１】
【補正対象書類名】特許請求の範囲
【補正対象項目名】全文
【補正方法】変更
【補正の内容】
【特許請求の範囲】
【請求項１】
１つ又はそれ以上の書類を置くのに適した構造の或る領域に設けられた複数のセンサであって、各センサが、書類により生成された応答信号を検出することに応答して、センサ出力信号を生成する複数のセンサ；及び
前記センサからのセンサ出力信号を受信するように結合され、前記構造に設けられた第１の書類の移動を示す検出信号を生成する検出モジュール；
より成り、第１群のセンサにより作成された第１群のセンサ出力信号が、前記第１の書類の第１の位置に関連付けられ、第２群のセンサにより作成された第２群のセンサ出力信号が、前記第２の書類の第２の位置に関連付けられ，
前記検出信号が前記第１群のセンサ及び前記第２群のセンサに基づいて作成されることを特徴とする書類監視装置。
【請求項２】
更に、捕捉データを生成するために前記検出信号に応答して、音声、映像又は音声−映像データを収集するよう動作する記録装置を有することを特徴とする請求項１記載の書類監視装置。
【請求項３】
更に、前記捕捉データが前記第１の書類を示す情報に関連付けられることを特徴とする請求項２記載の書類監視装置。
【請求項４】
前記捕捉データが、前記第１の書類の動きを生じさせた者を表現する画像データを包含することを特徴とする請求項２記載の書類監視装置。
【請求項５】
各センサが、前記構造に設けられた無線周波数識別装置（ＲＦＩＤ）からの前記応答信号を生成するのに適した応答指令信号を生成する回路を包含することを特徴とする請求項１記載の書類監視装置。
【請求項６】
前記ＲＦＩＤ装置が、前記書類の中に設けられ、再書き込み可能であり、前記応答指令信号が前記ＲＦＩＤ装置に第１の情報を格納するのに適しており、前記第１の情報が前記検出信号を表現し、前記書類の動きの履歴がＲＦＩＤ装置に格納可能であることを特徴とする請求項５記載の書類監視装置。
【請求項７】
更に、前記書類に設けられた無線周波数識別装置（ＲＦＩＤ）からの前記応答信号を生成するのに適した、前記応答指令信号を生成するための少なくとも１つの信号ソースを包含することを特徴とする請求項１記載の書類監視装置。
【請求項８】
前記ＲＦＩＤ装置が再書き込み可能であり、前記応答指令信号が前記ＲＦＩＤ装置に第１の情報を格納するのに適しており、前記第１の情報が前記検出信号を表現し、書類の動きの履歴がＲＦＩＤ装置に格納可能であることを特徴とする請求項７記載の書類監視装置。
【請求項９】
前記センサが、前記第１の書類に物理的に関連付けられた少なくとも１つのＲＦＩＤ要素で応答指令するのに適した、無線周波数識別装置（ＲＦＩＤ）応答指令装置であることを特徴とする請求項１記載の書類監視装置。
【請求項１０】
前記センサが、規則的なパターンで並べられることを特徴とする請求項１記載の書類監視装置。
【請求項１１】
前記センサが、不規則的なパターンで並べられることを特徴とする請求項１記載の書類監視装置。
【請求項１２】
書類処理装置の出力トレイに組み込まれる請求項１記載の書類監視装置であって、前記検出信号を動作可能に受信し且つ前記検出信号に応答して、音声、映像又は音声−映像データを収集する記録装置を含むことを特徴とする装置。
【請求項１３】
前記書類処理装置が、プリンタ、コピー機、及びファクシミリ伝送装置の内の何れかを含むことを特徴とする請求項１２記載の書類監視装置。
【請求項１４】
応答指令信号を生成する応答指令ソース；
１つ又はそれ以上の書類を置くのに適した構造の或る領域に設けられた複数のセンサであって、各センサが、書類の近辺でセンサ出力信号を生成することで応答し、前記書類は前記応答指令信号を受けることで応答信号を作成し、前記応答信号が１つ又はそれ以上のセンサによって検出可能である複数のセンサ；及び
前記構造に置かれた第１の書類の動きを示す検出信号を生成するために、前記センサからセンサ出力信号を受信するように接続される検出モジュール；
より成ることを特徴とする書類監視装置。
【請求項１５】
応答指令ソースが、無線周波数識別（ＲＦＩＤ）タグから応答信号を生成するのに適した応答指令信号を生成及び送信する送信機より成ることを特徴とする請求項１４記載の書類監視装置。
【請求項１６】
前記ＲＦＩＤタグが再書き込み可能であり、前記応答指令信号がＲＦＩＤタグにおける情報を格納するのに適しており、前記情報が検出信号を表現することを特徴とする請求項１５記載の書類監視装置。
【請求項１７】
前記センサが、前記応答信号を検出するのに適したアンテナ及び受信回路より成ることを特徴とする請求項１５記載の書類監視装置。
【請求項１８】
第１群のセンサにより作成された第１群のセンサ出力信号が、前記第１の書類の第１の位置に関連付けられ、第２群のセンサにより作成された第２群のセンサ出力信号が、前記第２の書類の第２の位置に関連付けられ，
前記検出信号が、前記第１群のセンサが前記第２群のセンサと同じであるか否かの判定に基づいて形成されることを特徴とする請求項１４記載の書類監視装置。
【請求項１９】
表面に置かれた第１の書類を監視する方法であって、前記第１の書類がそれらに物理的に関連付けられた少なくとも１つの無線周波数識別装置（ＲＦＩＤ）を有し、当該方法が：
第１の期間内に、１つ又はそれ以上の第１の応答指令信号を送信し、それに応答するＲＦＩＤタグからの１つ又はそれ以上の第１の応答信号を受信するステップ；
第２の期間内に、１つ又はそれ以上の第２の応答指令信号を送信し、それに応答する前記ＲＦＩＤタグからの１つ又はそれ以上の第２の応答信号を受信するステップ；及び
前記第１応答信号及び前記第２応答信号に基づいて、前記第１の書類の位置が、前記第１の期間及び前記第２の期間の間に変化したか否かを判定するステップ；
より成ることを特徴とする方法。
【請求項２０】
更に、第１の書類の位置が変化したことの判定に応答して、音声、映像又は音声−映像データより成る捕捉データを作成するステップより成ることを特徴とする請求項１９記載の方法。
【請求項２１】
前記ＲＦＩＤタグが書き込み可能であり、当該方法が更に前記ＲＦＩＤタグに前記捕捉データを格納するステップより成ることを特徴とする請求項２０記載の方法。
【請求項２２】
更に、前記捕捉データを、前記第１の書類を示す情報に関連付けるステップより成ることを特徴とする請求項２０記載の方法。
【請求項２３】
前記捕捉データが、前記第１の書類の位置変化を生じさせたものを表現する画像データを包含することを特徴とする請求項２０記載の方法。
【請求項２４】
１つ又はそれ以上の前記第１の応答指令信号が複数の場所から送信され、１つ又はそれ以上の前記第２の応答指令信号が複数の場所から送信されることを特徴とする請求項１９記載の方法。
【請求項２５】
前記監視は、デスクトップで行なわれることを特徴とする請求項１９記載の方法。
【請求項２６】
更に、前記第１の書類の位置が変化したことの判定に応答して、音声、映像又は音声−映像データを収集するステップより成ることを特徴とする請求項１９記載の方法。
【請求項２７】
前記音声、映像又は音声−映像データを収集するステップは、前記書類処理装置で行なわれることを特徴とする請求項２６記載の方法。
【請求項２８】
前記書類処理装置が、プリンタ、コピー機、及びファクシミリ伝送装置の内の１つを含むことを特徴とする請求項２７記載の方法。
【請求項２９】
無線周波数識別（ＲＦＩＤ）装置が物理的に関連付けられた書類を監視する装置であって：
ある構造の表面に置かれたＲＦＩＤ装置に応答指令を与える応答指令手段であって、前記ＲＦＩＤ装置が該応答指令に応じて１つ又はそれ以上の応答信号を生成するところの応答指令手段；
前記構造の近辺に並べられた複数の場所で前記応答信号を検知する検知手段；及び
第１群の応答信号及び第２群の応答信号に基づいて、前記表面における前記ＲＦＩＤ装置の位置の変化を検出する検出手段；
より成り、ＲＦＩＤ装置が第１の位置にある場合に前記第１群の応答信号が生成され、前記ＲＦＩＤ装置が第２の位置にある場合に前記第２群の応答信号が生成されることを特徴とする装置。
【請求項３０】
各応答信号が前記の位置の一方に関連付けられ、位置変化の検出が、前記第１応答信号の位置及び前記第２応答信号の位置の間の差異に基づくことを特徴とする請求項２９記載の装置。
【請求項３１】
前記検知手段が複数のアンテナより成り、位置変化の検出が、前記第１応答信号を受信したアンテナ及び前記第２応答信号を受信したアンテナの間の差分に基づくことを特徴とする請求項２９記載の装置。
【請求項３２】
前記応答指令手段が、前記構造周囲に設けられた複数の応答指令回路を包含することを特徴とする請求項２９記載の装置。
【請求項３３】
書類処理装置における書類監視装置であって：
応答指令信号を生成する少なくとも１つの応答指令ソース；
１つ又はそれ以上の書類を受信するのに適した書類受領領域付近に設けられた複数のセンサであって、各センサが、書類に隣接して応答し、書類を示すセンサ出力信号を生成するよう動作する複数のセンサ；
前記構造に置かれた第１の書類の動きを示す検出信号を生成するために、前記センサから前記センサ出力信号を受信するように接続された検出モジュール；及び
前記検出信号を受信し、ユーザを表現するユーザ識別情報を取得するように動作可能に接続される記録装置；
より成り、前記書類は前記応答指令信号にさらされることで応答信号を生成し、前記センサは応答信号を検出し、
第１群のセンサ出力信号が前記第１の書類の第１位置に関連付けられ、第２群のセンサ出力信号が前記第２の書類の第２位置に関連付けられ、
前記検出信号が前記第１群のセンサ出力信号及び前記第２群のセンサ出力信号に基づいて作成されることを特徴とする書類監視装置。
【請求項３４】
書類受領領域が原稿書類を受けるための入力要素であり、書類処理機能がセンサ出力信号及びユーザ識別情報に基づいてイネーブルされることを特徴とする請求項３３記載の書類監視装置。
【請求項３５】
前記第１群のセンサ出力信号が第１群のセンサにより生成され、前記第２群のセンサ出力信号が第２群のセンサにより生成され、前記検出信号は、前記第１群のセンサが前記第２群のセンサと同じか否かの判定に基づいて生成されることを特徴とする請求項３３記載の書類監視装置。
【請求項３６】
各センサが１つ又はそれ以上の応答指令ソースを包含し、前記応答指令信号が、前記構造に設けられた無線周波数識別タグ（ＲＦＩＤ）における応答信号を生成するのに適切であることを特徴とする請求項３３記載の書類監視装置。
【請求項３７】
前記ＲＦＩＤタグが書類に設けられることを特徴とする請求項３３記載の書類監視装置。
【請求項３８】
前記構造に設けられた無線周波数識別タグ（ＲＦＩＤ）における応答信号を生成するのに適切な応答指令信号を生成及び送信するたえの送信機より成る、単独の応答指令ソースのみが存在することを特徴とする請求項３３記載の書類監視装置。
【請求項３９】
センサがアンテナであり、各々が付随する受信回路を有することを特徴とする請求項３８記載の書類監視装置。
【請求項４０】
前記書類処理装置が、プリンタ、コピー機及びファクシミリ伝送装置の内の１つより成ることを特徴とする請求項３３記載の書類監視装置。